(57)【要約】【課題】ＡＤＳＬ機器の接続によっても通信が妨害されない端末側網制御装置を提供することである。【解決手段】端末側網制御装置２３は、センター側網制御装置からノーリンギングトランクを介して送出されたノーリンギング呼出信号が自端末への信号か否かを判断し、該ノーリンギング呼出信号が自端末への信号であると判断した場合にノーリンギング応答信号を送出する主制御部３５と、ノーリンギング応答信号の送出前に後段に接続された機器を切り離し、ノーリンギング応答信号の送出後に前記機器を再接続する接続切換回路３４とを備えた構成とする。【選択図】　　　図２
2004040543.tif 000002
【特許請求の範囲】
【請求項１】
ＡＤＳＬを利用して端末装置からの端末発呼によりデータ通信を行う、或いはセンター側網制御装置からの起動でノーリンギングトランクを利用してデータ通信を行う自動データ通信システムにおける端末側網制御装置であって、
前記センター側網制御装置から前記ノーリンギングトランクを介して送出されたノーリンギング呼出信号が自端末への信号か否かを判断し、該ノーリンギング呼出信号が自端末への信号であると判断した場合にノーリンギング応答信号を送出する主制御部と、
前記ノーリンギング応答信号の送出前に後段に接続された機器を切り離し、前記ノーリンギング応答信号の送出後に前記機器を再接続する接続切換回路とを備えたことを特徴とする端末側網制御装置。
【請求項２】
ＡＤＳＬを利用して端末装置からの端末発呼によりデータ通信を行う、或いはセンター側網制御装置からの起動でノーリンギングトランクを利用してデータ通信を行う自動データ通信システムにおける端末側網制御装置であって、
前記センター側網制御装置から前記ノーリンギングトランクを介して送出されたノーリンギング呼出信号が自端末への信号か否かを判断し、該ノーリンギング呼出信号が自端末への信号であると判断した場合にノーリンギング応答信号を送出する主制御部と、
前記ノーリンギング応答信号の送出前に後段に接続された機器を切り離し、前記ノーリンギング応答信号の送出後に前記センター側網制御装置とのデータ通信を行い、該データ通信完了後に前記機器を再接続する接続切換回路とを備えたことを特徴とする端末側網制御装置。
【請求項３】
ＡＤＳＬを利用して端末装置からの端末発呼によりデータ通信を行う、或いはセンター側網制御装置からの起動でノーリンギングトランクを利用してデータ通信を行う自動データ通信システムにおける端末側網制御装置であって、
前記センター側網制御装置から前記ノーリンギングトランクを介して送出されたノーリンギング呼出信号が自端末への信号か否かを判断し、該ノーリンギング呼出信号が自端末への信号であると判断した場合にノーリンギング応答信号を送出する主制御部と、
前記ノーリンギング応答信号の送出後、前記センター側網制御装置からのデータ通信信号を検出できない場合に回数を加算するカウンタと、
前記カウンタの値が所定値になった場合、次回のノーリンギング応答信号の送出前に後段に接続された機器を切り離し、次回のノーリンギング応答信号の送出後に前記機器を再接続する接続切換回路とを備えたことを特徴とする端末側網制御装置。
【請求項４】
ＡＤＳＬを利用して端末装置からの端末発呼によりデータ通信を行う、或いはセンター側網制御装置からの起動でノーリンギングトランクを利用してデータ通信を行う自動データ通信システムにおける端末側網制御装置であって、
前記センター側網制御装置から前記ノーリンギングトランクを介して送出されたノーリンギング呼出信号が自端末への信号か否かを判断し、該ノーリンギング呼出信号が自端末への信号であると判断した場合にノーリンギング応答信号を送出する主制御部と、
前記ノーリンギング応答信号の送出後、前記センター側網制御装置からのデータ通信信号を検出できない場合に回数を加算するカウンタと、
前記カウンタの値が所定値になった場合、次回のノーリンギング応答信号の送出前に後段に接続された機器を切り離し、次回のノーリンギング応答信号の送出後に前記センター側網制御装置とのデータ通信を行い、該データ通信完了後に前記機器を再接続する接続切換回路とを備えたことを特徴とする端末側網制御装置。
【請求項５】
前記接続切換回路の動作がコマンドにより設定できることを特徴とする請求項１〜４の何れかに記載の端末側網制御装置。
【請求項６】
前記機器のオフフックを検出するオフフック検出回路を設け、前記データ通信中に前記オフフックを検出した場合、前記データ通信を一時中断し、前記機器を再接続することを特徴とする請求項２又は４記載の端末側網制御装置。
【請求項７】
前記カウンタの値及び所定値がユーザにより設定・読出しできることを特徴とする請求項３又は４記載の端末側網制御装置。
【請求項８】
前記カウンタの値が所定値になった場合、端末発呼により前記センター側網制御装置へ通知することを特徴とする請求項３又は４記載の端末側網制御装置。
【発明の詳細な説明】
【０００１】
【発明の属する技術分野】
本発明は、ＡＤＳＬを利用して端末装置からの端末発呼によりデータ通信を行う、或いはセンター側網制御装置からの起動でノーリンギングトランクを利用してデータ通信を行う自動データ通信システムにおける端末側網制御装置に関するものである。
【０００２】
【従来の技術】
電話回線を利用して呼び出し音を鳴らさずに、電気、水道、ガス等のメータの自動検針を行う、ノーリンギングサービスがある。一般に、ホスト装置から端末側網制御装置（Ｔ−ＮＣＵ）を起動する場合、センター側網制御装置（Ｃ−ＮＣＵ）のダイヤル信号により、ノーリンギングトランクからノーリンギング呼出信号（ＮＲＳ）が発せられる。そして、その信号がＴ−ＮＣＵ自身の起動信号と一致すれば、Ｔ−ＮＣＵはＮＲ（ノーリンギング）応答信号“＃”を送出する。このとき、Ｔ−ＮＣＵの後段には、電気、水道、ガス等のメータ・センサの他に、ＡＤＳＬ（Ａｓｙｍｍｅｔｒｉｃ　Ｄｉｇｉｔａｌ　Ｓｕｂｓｃｒｉｂｅｒ　Ｌｉｎｅ）機器（スプリッタ、ＡＤＳＬモデム等）、電話機等が接続されている場合がある。
【０００３】
【発明が解決しようとする課題】
しかしながら、Ｔ−ＮＣＵの後段に接続されているスプリッタの回線側からの入力インピーダンスは、周波数１〜３ｋＨｚの範囲内に共振点を有し、その共振点では電話回線の交流インピーダンス６００Ωに対して１００Ω前後の低インピーダンスである。このため、Ｔ−ＮＣＵが送出するＮＲ応答信号“＃”は、低群周波数と高群周波数のレベルが逆転するなどの減衰を起こしてしまい、ノーリンギング（ＮＲ）トランクがＮＲ応答信号“＃”を認識できなくなり、回線接続できずにＴ−ＮＣＵが通信できなかったり、Ｃ−ＮＣＵとＴ−ＮＣＵ間の通信信号が減衰して通信できなくなったりする。
【０００４】
比較例として、特開平４−３２６６５１号公報には、加入電話回線を利用した自動データ通信システムにおいて、Ｔ−ＮＣＵの後段にノーリンギング通信に有害なファクシミリ装置（ＦＡＸ）が接続されている場合には、Ｔ−ＮＣＵの主制御部がＮＲＳを検出し自端末と判断した場合にＦＡＸをＴ−ＮＣＵから切り離す端末用網制御装置が開示されている。これによるとＮＲＳ成分にＦＡＸ起動信号に類似した信号が含まれていても、ＦＡＸが誤応答することがなくなる。従って、ＦＡＸの誤応答によりＴ−ＮＣＵの通信が妨害されることがなくなる。
【０００５】
また、特開平３−１１８７０号公報には、第１の端末装置が別の伝送装置から通信回線を介して起動された場合、第２の端末装置が誤動作しないように第２の端末装置を通信回線から切り離すようにしたデータ伝送装置が開示されている。
【０００６】
しかし、上記の何れの公報にもスプリッタ等のＡＤＳＬ機器が接続された場合についての記載はない。
【０００７】
本発明は、上記の問題点に鑑み、ＡＤＳＬ機器の接続によっても通信が妨害されない端末側網制御装置を提供することを目的とする。
【０００８】
【課題を解決するための手段】
上記目的を達成するために本発明の端末側網制御装置は、ＡＤＳＬを利用して端末装置からの端末発呼によりデータ通信を行う、或いはＣ−ＮＣＵからの起動でＮＲトランクを利用してデータ通信を行う自動データ通信システムにおける端末側網制御装置であって、前記Ｃ−ＮＣＵから前記ＮＲトランクを介して送出されたＮＲＳ信号が自端末への信号か否かを判断し、該ＮＲＳ信号が自端末への信号であると判断した場合にＮＲ応答信号を送出する主制御部と、前記ＮＲ応答信号の送出前に後段に接続された機器を切り離す接続切換回路とを備えたものである。
【０００９】
そして、前記機器の再接続は、前記ＮＲ応答信号の送出後に行ってもよいし、前記ＮＲ応答信号の送出後に前記Ｃ−ＮＣＵとのデータ通信を行い、該データ通信完了後に行ってもよい。
【００１０】
この構成によると、ＮＲ応答信号の送出前に必ず後段の機器を切り離すことにより、ＮＲ通信に有害な機器によって生じる信号の減衰等をなくし、通信不可能な状態を避けることができる。
【００１１】
また本発明の端末側網制御装置は、ＡＤＳＬを利用して端末装置からの端末発呼によりデータ通信を行う、或いはＣ−ＮＣＵからの起動でＮＲトランクを利用してデータ通信を行う自動データ通信システムにおける端末側網制御装置であって、前記Ｃ−ＮＣＵから前記ＮＲトランクを介して送出されたＮＲＳ信号が自端末への信号か否かを判断し、該ＮＲＳ信号が自端末への信号であると判断した場合にＮＲ応答信号を送出する主制御部と、前記ＮＲ応答信号の送出後、前記Ｃ−ＮＣＵからのデータ通信信号を検出できない場合に回数を加算するカウンタと、前記カウンタの値が所定値になった場合、次回のＮＲ応答信号の送出前に後段に接続された機器を切り離す接続切換回路とを備えたものである。
【００１２】
そして、前記機器の再接続は、次回のノーリンギング応答信号の送出後に行ってもよいし、次回のノーリンギング応答信号の送出後に前記Ｃ−ＮＣＵとのデータ通信を行い、該データ通信完了後に行ってもよい。
【００１３】
この構成によると、所定値を変更することにより、他の要因で通信できなかったことを排除して確実にＮＲＳ信号を自端末と判断し、後段に接続された機器を切り離さないでＮＲ応答信号を送出し、その後ホスト装置との通信においてＣ−ＮＣＵからの通信信号を検出できない原因を特定することができ、より確実にシステム運営することができる。
【００１４】
【発明の実施の形態】
図１は、自動データ通信システムの構成を示すブロック図である。１０はセンター側のホスト装置であり、１１はホスト装置１０と電話回線１２とを接続して信号の送受信を行うセンター側網制御装置（Ｃ−ＮＣＵ）、１３はＣ−ＮＣＵ１１に接続されたセンター側交換局、１４は端末側に接続された端末側交換局、１５は端末側の電話機等のベルを鳴らさずにノーリンギング呼び出しするように制御するノーリンギング（ＮＲ）トランク、１６はＡＤＳＬの管理機能等をサポートするＤＳＬＡＭ（Ｄｉｇｉｔａｌ　Ｓｕｂｓｃｒｉｂｅｒ　Ｌｉｎｅ　Ａｃｃｅｓｓ　Ｍｕｌｔｉｐｌｅｘｅｒ）、１７はネットワーク網である。
【００１５】
また、１８は低域と高域の周波数を分配又は混合する分配混合器であり、１９はアナログ音声信号とＡＤＳＬ信号を分離／合成するスプリッタ、２０はデータの変調／復調を行うＡＤＳＬモデム、２１はパーソナルコンピュータ（ＰＣ）、２２は電話機やＦＡＸ等のＰＯＴＳ（Ｐｌａｉｎ　Ｏｌｄ　Ｔｅｌｅｐｈｏｎｅ　Ｓｅｒｖｉｃｅ）の通信機器、２３は端末側網制御装置（Ｔ−ＮＣＵ）、２４は電気、水道、ガス等のメータである。
【００１６】
図２は、Ｔ−ＮＣＵ２３の構成及び周辺機器を示すブロック図である。３０はＮＲトランク１５が電話回線の極性を反転したことを検出する極反検出回路であり、３１はモデム機能を備えた通信回路、３２はＴ−ＮＣＵ２３の通信中に通信機器２２の使用の有無を検出するオフフック検出回路、３３はＴ−ＮＣＵ２３とメータ２４を接続するメータインタフェース回路、３４はスプリッタを含む後段の機器の接続／切断を切り換える接続切換回路、３５はＴ−ＮＣＵを制御するマイクロコンピュータ等からなる主制御部である。また主制御部３５には、自端末のＮＲＳ番号等を記憶するＲＡＭ３５ａと、通信開始後にＦＳＫ信号などの通信信号を受信できないときに数値を加算するカウンタ３５ｂとが備えられている。なお、接続切換回路３４の切換動作はユーザがコマンドを用いて設定することもできる。
【００１７】
ここで、Ｔ−ＮＣＵの動作について説明する。センター側網制御装置１１からＮＲ着信があると、まず極反検出回路３０で極性の反転が検出される。次に主制御装置３５はスタンバイモードからＮＲＳ検出動作モードに切り換わる。そして、通信回路３１がＮＲＳを検出すると、それに応答して主制御部３５はＮＲ応答信号を送出する。これによりホスト装置１０との通信リンクが確立し、調歩同期式でデータ通信が開始される。
【００１８】
図３は、分配混合器１８の構成を示すブロック図である。４０は電話回線１２とＴ−ＮＣＵ２３を接続し、アナログ音声信号のみを通過させる低域濾波器Ｌであり、４１はＴ−ＮＣＵ２３とスプリッタ１９を接続する低域濾波器Ｔ、４２はＡＤＳＬ信号のみを通過させる高域濾波器である。
【００１９】
電話回線から入力された信号のうち、ＡＤＳＬ信号は高域濾波器４２を通過し、アナログ音声信号は低域濾波器Ｌ４０、Ｔ−ＮＣＵ２３、低域濾波器Ｔ４１を通過して混合され、スプリッタ１９へ入力される。
【００２０】
次に、ＡＤＳＬ機器の接続によっても通信が妨害されないＴ−ＮＣＵ２３の動作について説明する。図４は、Ｔ−ＮＣＵ２３の動作を示すフローチャートである。まず、ステップＳ１０においてＣ−ＮＣＵ１１からＮＲ着信があると、極反検出回路３０で極性反転が検出される。それにより極反割り込み信号が発生し、ステップＳ１１へ進んで主制御部３５は、スタンバイモードからＮＲＳ検出モードに切り換わる。次に、ステップＳ１２へ進んで通信回路３１をＮＲＳ検出モードに制御し、ＮＲトランク１５から約１秒間送出されるＮＲＳを検出する。ステップＳ１２からステップＳ１３へ進んで、ＮＲＳが２０ｍｓ以上か否か判別する。ステップＳ１３においてＮＲＳが２０ｍｓ以上である場合、ステップＳ１４へ進んでＲＡＭ３５ａ内に記憶されているＮＲＳ番号と一致するか否かを判別する。ステップＳ１４において一致しない場合はスタンバイモードに戻る。
【００２１】
一方、ステップＳ１４において一致する場合は、自端末と判断し、ステップＳ１５へ進んでコマンドが０か否か、ＲＡＭ３５ａをチェックする。このＲＡＭ３５ａには、予めＮＲ通信に有害なスプリッタ１９接続されている場合はコマンドが１、将来本回線がＡＤＳＬ化になる可能性がある場合にはコマンドが２、その他の場合はコマンドが０に設定される。コマンド０は後段機器の切り離しを行わずにＮＲ応答信号の送出を行う処理を表し、コマンド１はＮＲ応答信号送出前に後段機器を切り離し、ＮＲ応答信号送出後に後段機器を再接続する処理を表し、コマンド２はＮＲ応答信号送出前に後段機器を切り離し、後段機器の再接続は通信終了まで行わない処理を表す。なお、コマンドの初期値は０とし、１回目のステップＳ１５においてはコマンドが０と判別される。また、コマンドの初期値が１の場合も考えられる。この場合は、通信が失敗し、カウンタが所定値以上になるとコマンド２にする。ユーザは、設定変更でコマンド０に変更可能である。
【００２２】
ステップＳ１５においてコマンドが１又は２のときは、ステップＳ１６へ進んで接続切換回路３４を駆動してＴ−ＮＣＵ２３の後段の機器を切り離した後、ステップＳ１７へ進む。一方、ステップＳ１５においてコマンドが０のときは、ステップＳ１７へ進んでＮＲＳが途絶えたことを確認して一定時間後にＮＲ応答信号“＃”を送出する。
【００２３】
ＮＲ応答信号の送出完了後、ステップＳ１８へ進んでコマンドが０又は２か否かを判別する。ステップＳ１８においてコマンドが１のときは、ステップＳ１９へ進んで後段の機器を再接続した後、ステップＳ２０へ進む。一方、ステップＳ１８においてコマンドが０又は２のときは、ステップＳ２０へ進んで通信を開始する。具体的にはＦＳＫ（Ｆｒｅｑｕｅｎｃｙ　Ｓｈｉｆｔ　Ｋｅｙｉｎｇ）信号の待ち受け状態となる。
【００２４】
ステップＳ２０からステップＳ２１へ進んでＦＳＫ信号などの通信信号の受信の有無を判別する。ステップＳ２１においてＦＳＫ信号などの通信信号を受信していない場合は、ＮＲ応答信号“＃”がノーリンギングトランク１５に届いておらず、回線が接続できていないと判断し、ステップＳ２２へ進んでカウンタ３５ｂの値に１加算する。次に、ステップＳ２２からステップＳ２３へ進んでカウンタ３５ｂの値が所定値（例えば３）以上になったか否かを判別する。
【００２５】
ステップＳ２３においてカウンタ３５ｂの値が所定値以上であれば、ステップＳ２４へ進んでコマンドを１又は２に設定する。そして、ステップＳ２４からステップＳ２５へ進んで端末発呼フラグをたて、スタンバイモードに戻る。一方、ステップＳ２３においてカウンタ３５ｂの値が所定値未満の場合は、スタンバイモードに戻る。
【００２６】
一方、ステップＳ２１においてＦＳＫ信号などの通信信号を受信している場合は、ステップＳ２６へ進んでカウンタ３５ｂの値をクリアした後、ステップＳ２７へ進んで通信を継続する。その後通信が完了するとスタンバイモードに戻る。
【００２７】
上記のようにカウンタ３５ｂが所定値以上であれば、次回はステップＳ１５からステップＳ１６へ進んでＴ−ＮＣＵ２３の後段の機器を切り離している。ここで、「次回」とは、１回のみとしてそれ以降は初期条件に戻ることとしてもよく、また、次回以降はその設定を固定することとしてもよい。
【００２８】
このように、Ｔ−ＮＣＵ２３の後段にＮＲ通信に有害な機器が接続されている場合に、ＮＲ応答信号の送出前に後段の機器を切り離すことにより、信号の減衰等による通信不可能な状態を避けることができる。
【００２９】
なお、ステップＳ２４の経過後にステップＳ１５に進むと、コマンドは０でないため、ステップＳ１５からステップＳ１６へ進み、後段機器の切り離しが行われ、より確実なＮＲ通信が可能となる。従って、ユーザ自身がコマンドの設定をする手間が掛からず、より簡易かつ効率的にシステム運営することができる。
【００３０】
また、ステップＳ２５の端末発呼フラグにより、Ｔ−ＮＣＵ２３は端末発呼をしてＣ−ＮＣＵ１１へ通知するため、システム運営者はＴ−ＮＣＵ２３の動作状況をより確実に把握することができ、より確実なシステム管理が可能となる。更に、カウンタ３５ｂの値及び所定値はユーザにより設定・読出しすることができる。従って、この所定値を変更することにより、他の要因で通信できなかったことを排除して確実にＮＲＳ信号を自端末と判断し、後段に接続された機器を切り離さないでＮＲ応答信号“＃”を送出し、その後ホスト装置１０との通信においてＣ−ＮＣＵ１１からの通信信号を検出できない原因を特定することができ、より確実にシステム運営することができる。
【００３１】
なお、上記の実施形態では、ＮＲ応答信号の送出後にステップＳ１９において後段機器の再接続を行っているが、それに替えてステップＳ２７の通信が完了した後に後段機器の再接続を行うようにしてもよい。これにより、ＮＲ応答信号送出時だけでなくデータ通信時も、より確実に後段の機器による通信妨害を避けることができる。
【００３２】
また、上記の実施形態において、ＲＡＭ３５ａのコマンド０〜２と、カウンタ３５ｂを設けず、ステップＳ１４においてＮＲＳ番号が一致すれば後段に接続された機器を切り離し、ＮＲ応答信号を送出し、後段の機器を再接続し、通信を継続するようにしてもよい。このとき、後段の機器の再接続は通信が完了した後に行うようにしてもよい。このように、ＮＲ応答信号の送出前に必ず後段の機器を切り離すことにより、ＮＲ通信に有害な機器によって生じる信号の減衰等をなくし、通信不可能な状態を避けることができる。
【００３３】
次に、Ｔ−ＮＣＵ２３とＣ−ＮＣＵ１１とのデータ通信中に通信機器２２を使用する場合の自動データ通信システムの動作について説明する。ＲＡＭ３５ａ中のコマンドが０又は１の場合、データ通信中は後段に接続された機器が接続切換回路３４により接続された状態にあり、通信機器２２が使用されると、ＮＲトランク１５がオフフックを検出する。これに応答して、ＮＲ通信（データ通信）は中断し、通信機器２２の使用が可能となる。
【００３４】
一方、コマンドが２の場合、データ通信中は後段に接続された機器が接続切換回路３４により切り離された状態にあり、通信機器２２が使用されると、オフフック検出回路３２がオフフックを検出する。そして、主制御部３５がオフフックと判断し、接続切換回路３４を駆動して後段の機器を再接続する。これに応答して、ＮＲトランク１５がオフフックを検出し、ＮＲ通信（データ通信）は中断し、通信機器２２の使用が可能となる。
【００３５】
上記のように、ＲＡＭ３５ａのコマンドが０〜２の場合は通信機器２２の使用が優先される構成であるが、データ通信を優先するコマンド３を追加設定してもよい。ここで、コマンド３は、コマンドが２のときの動作に準拠し、Ｔ−ＮＣＵ２３がデータ通信中に後段に接続された機器がオフフックされると、主制御部３５がこのオフフックを無視してＴ−ＮＣＵ２３のデータ通信が完了するまで優先して実行させるコマンドである。
【００３６】
【発明の効果】
本発明によると、端末側網制御装置の後段にＮＲ通信に有害な機器が接続されている場合に、ＮＲ応答信号の送出前に後段の機器を切り離すことにより、信号の減衰等による通信不可能な状態を避けることができる。
【００３７】
また本発明によると、カウンタの所定値を変更することにより、他の要因で通信できなかったことを排除して確実にＮＲＳ信号を自端末と判断し、後段に接続された機器を切り離さないでＮＲ応答信号を送出し、その後ホスト装置との通信においてセンター側網制御装置からの通信信号を検出できない原因を特定することができ、より確実にシステム運営することができる。
【図面の簡単な説明】
【図１】本発明の端末側網制御装置を備えた自動データ通信システムの構成を示すブロック図である。
【図２】本発明の端末側網制御装置の構成及び周辺機器を示すブロック図である。
【図３】図１の分配混合器の構成を示すブロック図である。
【図４】本発明の端末側網制御装置の動作を示すフローチャートである。
【符号の説明】
１１　　センター側網制御装置
１５　　ノーリンギングトランク
２１　　ＰＣ（端末装置）
２３　　端末側網制御装置
３２　　オフフック検出回路
３４　　接続切換回路
３５　　主制御部
３５ｂ　カウンタ
【図１】
2004040543.tif 000003
【図２】
2004040543.tif 000004
【図３】
2004040543.tif 000005
【図４】
2004040543.tif 000006